(57)【特許請求の範囲】
【請求項１】
エンジンの動力を、走行用の無段変速装置及びミッションケースを介して、右及び左の走行装置に伝達するように構成された作業車の走行伝動構造であって、
前記ミッションケースの右又は左の一方側に他方側に向けて入り込む凹部を形成し、前記凹部に隣接するミッションケースの他方側に凹部隣接部を備えて、前記ミッションケースの凹部に走行用の無段変速装置を配置し、前記走行用の無段変速装置の出力軸を、この出力軸と同芯上に配置された前記凹部隣接部内の入力軸に連動連結し、この入力軸を前記凹部隣接部の左右両側の側壁に支持させ、
左右の走行装置に対して各別に駆動力を伝達する左右一対の出力ギヤを相対回転自在に装備した出力用伝動軸に、前記左右一対の出力ギヤに対して各別に出力用伝動軸の動力を伝達する左右一対のサイドクラッチを装備するとともに、前記出力用伝動軸に軸支されたギヤと、そのギヤの外周側に咬合して前記入力軸から伝達される駆動力を伝える中継用のギヤとのギヤ対で構成された伝動ギヤを装備し、
前記伝動ギヤと前記サイドクラッチとを、前記伝動ギヤがミッションケース内で前記入力軸が配備された他方側に位置し、前記左右一対のサイドクラッチが、前記伝動ギヤよりも前記ミッションケース内で前記凹部が形成された一方側寄りの箇所に位置するように、かつ、前記ギヤ対で構成された伝動ギヤが、前記ミッションケースの他方側の壁部の内面近傍に位置し、前記中継用のギヤの左右方向での位置が、前記入力軸の他方側が支持された凹部隣接部の側壁の左右方向での位置と略一致するように設けて、前記走行用の無段変速装置の出力軸の動力が、入力軸、伝動ギヤ、出力用伝動軸、右及び左のサイドクラッチを介して右及び左の走行装置に伝達されるように構成してあるとともに、
前記走行用の無段変速装置の入力軸を、前記凹部に配置された走行用の無段変速装置の内部側から、その無段変速装置における前記凹部に対向する側の面よりも、前記凹部隣接部側に向けて延出してある作業車の走行伝動構造。
【請求項２】
出力用伝動軸に装備された左右の各出力ギヤの伝動下手側で、その各出力ギヤと咬合する左右一対の各走行入力ギヤを、走行用の無段変速装置を配置した凹部が形成されるミッションケースの一方側に配置される走行系伝動軸と、ミッションケースの他方側に配置される走行系伝動軸とに振り分けて支持させるとともに、
前記伝動ギヤの下方に位置しかつ前記ミッションケースの他方側の走行系伝動軸を支持する支持部を、前記ミッションケースの一方側の走行系伝動軸を支持する支持部よりもミッションケースの内方側へ突出させて、
前記一方側の走行系伝動軸に支持される走行入力ギヤをミッションケースの前記一方側の壁部内面近くに位置させ、他方側の走行系伝動軸に支持される走行入力ギヤをミッションケースの前記他方側の壁部内面から離れた位置に配設してある請求項１に記載の作業車の走行伝動構造。
【発明の詳細な説明】
【技術分野】
【０００１】
本発明は、コンバイン等の作業車における走行用の無段変速装置及びミッションケースの構造に関する。
【背景技術】
【０００２】
作業車の一例であるコンバインにおいては、例えば特許文献１に開示されているような走行用の無段変速装置及びミッションケースを備えたものがある。特許文献１では、ミッションケース（特許文献１の図２及び図３の８）の上部の横側部に、走行用の無段変速装置（特許文献１の図２及び図３の９）が配置されており、走行用の無段変速装置の出力軸がミッションケースの内部に挿入され、ミッションケースの入力軸（特許文献１の図２及び図３の４８）として、ミッションケースの左右中央に配置されている。
【０００３】
特許文献１では、ミッションケースの下部の左右に亘って伝動軸（特許文献１の図３のベアリング４９で支持される伝動軸）が支持されており、ミッションケースの入力軸の動力が、ミッションケースの左右中央に配置された伝動ギヤを介して、伝動軸の左右中央部に伝達されている。伝動軸の右及び左端部に右及び左のサイドクラッチ（特許文献１の図２及び図３の１４）が備えられており、伝動軸の動力が右及び左のサイドクラッチを介して右及び左の走行装置（特許文献１の図１及び図２の１）に伝達される。
これにより、右及び左のサイドクラッチが伝動状態に操作されると、右及び左の走行装置に動力が伝達されて、機体は直進する。右のサイドクラッチを遮断状態に操作し、左のサイドクラッチを伝動状態に操作すると、機体は右に向きを変えるのであり、左のサイドクラッチを遮断状態に操作し、右のサイドクラッチを伝動状態に操作すると、機体は左に向きを変える。
【０００４】
【特許文献１】特開２００３−９４９６８号公報
【発明の開示】
【発明が解決しようとする課題】
【０００５】
特許文献１では、ミッションケースの横側部に走行用の無段変速装置が配置されて、ミッションケースの横側部から走行用の無段変速装置が横側に大きく突出する状態となっている。これにより、ミッションケースにおける走行用の無段変速装置の付近のコンパクト化と言う面で改善の余地がある。
本発明は作業車の走行伝動構造において、ミッションケースにおける走行用の無段変速装置の付近のコンパクト化を図ることを目的としている。
【課題を解決するための手段】
【０００６】
［Ｉ］
（構成）
本発明の第１特徴は、エンジンの動力を、走行用の無段変速装置及びミッションケースを介して、右及び左の走行装置に伝達するように構成された作業車の走行伝動構造において、次のように構成することにある。
前記ミッションケースの右又は左の一方側に他方側に向けて入り込む凹部を形成し、前記凹部に隣接するミッションケースの他方側に凹部隣接部を備えて、前記ミッションケースの凹部に走行用の無段変速装置を配置し、前記走行用の無段変速装置の出力軸を、この出力軸と同芯上に配置された前記凹部隣接部内の入力軸に連動連結し、この入力軸を前記凹部隣接部の左右両側の側壁に支持させ、
左右の走行装置に対して各別に駆動力を伝達する左右一対の出力ギヤを相対回転自在に装備した出力用伝動軸に、前記左右一対の出力ギヤに対して各別に出力用伝動軸の動力を伝達する左右一対のサイドクラッチを装備するとともに、前記出力用伝動軸に軸支されたギヤと、そのギヤの外周側に咬合して前記入力軸から伝達される駆動力を伝える中継用のギヤとのギヤ対で構成された伝動ギヤを装備し、
前記伝動ギヤと前記サイドクラッチとを、前記伝動ギヤがミッションケース内で前記入力軸が配備された他方側に位置し、前記左右一対のサイドクラッチが、前記伝動ギヤよりも前記ミッションケース内で前記凹部が形成された一方側寄りの箇所に位置するように、かつ、前記ギヤ対で構成された伝動ギヤが、前記ミッションケースの他方側の壁部の内面近傍に位置し、前記中継用のギヤの左右方向での位置が、前記入力軸の他方側が支持された凹部隣接部の側壁の左右方向での位置と略一致するように設けて、前記走行用の無段変速装置の出力軸の動力が、入力軸、伝動ギヤ、出力用伝動軸、右及び左のサイドクラッチを介して右及び左の走行装置に伝達されるように構成してあるとともに、
前記走行用の無段変速装置の入力軸を、前記凹部に配置された走行用の無段変速装置の内部側から、その無段変速装置における前記凹部に対向する側の面よりも、前記凹部隣接部側に向けて延出してある。
【０００７】
（作用）
本発明の第１特徴によると、例えば図３及び図７に示すように、ミッションケース１０の右又は左の一方側（紙面左側）に右又は左の他方側（紙面右側）に入り込む凹部１０ａを形成しており、ミッションケース１０の凹部１０ａに走行用の無段変速装置１１を配置している。これにより、走行用の無段変速装置１１がミッションケース１０の右又は左の他方側（紙面右側）に入り込むような状態となるので、ミッションケース１０の横側部から走行用の無段変速装置１１が横側に大きく突出する状態にならない。
【０００８】
本発明の第１特徴によると、例えば図７に示すように、ミッションケース１０の凹部１０ａを形成する場合、ミッションケース１０において、入力軸２２を凹部１０ａに隣接するミッションケース１０の右又は左の他方側（紙面右側）に備え、伝動ギヤ３０，３１をミッションケース１０の入力軸２２側（紙面右側）に備えている。このように、入力軸２２及び伝動ギヤ３０，３１をミッションケース１０の右又は左の他方側（入力軸２２側）（紙面右側）に備えることにより、ミッションケース１０の右又は左の一方側（紙面左側）において、入力軸２２及び伝動ギヤ３０，３１の影響を受けることが少なくなり、ミッションケース１０の凹部１０ａが形成し易くなる。
【０００９】
本発明の第１特徴によると、例えば図７に示すように、伝動ギヤ３０，３１の下手側に位置する右及び左のサイドクラッチ３４において、ミッションケースの右又は左の一方側（紙面左側）及び他方側（紙面右側）に亘って出力用伝動軸２９を支持して、伝動ギヤ３０，３１の動力が出力用伝動軸２９の入力軸２２側（紙面右側）に伝達されるように構成し、出力用伝動軸２９の凹部１０ａ側（紙面左側）に右及び左のサイドクラッチ３４を備えている。例えば図７に示すように、伝動ギヤ３０，３１の動力が出力用伝動軸２９の入力軸２２側（紙面右側）に伝達されるように構成すると、出力用伝動軸２９の凹部１０ａ側（紙面左側）に空間的な余裕が生じるので、出力用伝動軸２９の凹部１０ａ側（紙面左側）に右及び左のサイドクラッチ３４を無理なく備えることができる。
【００１０】
作業車の一例であるコンバインでは、例えば図２に示すように、走行用の無段変速装置１１及びミッションケース１０の横外側に、運転部５が備えられることが多くある。この場合、ミッションケースの横側部から走行用の無段変速装置が横側に大きく突出すると、走行用の無段変速装置が運転部に入り込んで、運転部の空間が犠牲になることがある。
本発明の第１特徴によると、ミッションケースの横側部から走行用の無段変速装置が横側に大きく突出する状態にならないので、走行用の無段変速装置及びミッションケースの横外側に運転部が備えられるように構成されても、運転部の空間が犠牲になるようなことが少ない。
【００１１】
（発明の効果）
本発明の第１特徴によると、作業車の走行伝動構造において、ミッションケースの右又は左の一方側に他方側に向けて入り込む凹部を形成して、ミッションケースの凹部に走行用の無段変速装置を配置することにより、ミッションケースの横側部から走行用の無段変速装置が横側に大きく突出する状態にならないようにすることができて、ミッションケースにおける走行用の無段変速装置の付近のコンパクト化を図ることができた。
【００１２】
この場合、本発明の第１特徴によると、例えば走行用の無段変速装置及びミッションケースの横外側に運転部が備えられるように構成されても、運転部の空間が犠牲になるようなことが少ないので、運転部の空間を大きなものに設定することが容易になって、運転部での各種の装置を余裕をもって配置することができるようになるのであり、運転部での快適性も向上させることができた。
【００１３】
本発明の第１特徴によると、ミッションケースの右又は左の一方側に他方側に向けて入り込む凹部を形成する場合、入力軸及び伝動ギヤをミッションケースの他方側（入力軸側）に備えることにより、ミッションケースの凹部が形成し易くなる点、右及び左のサイドクラッチを無理なく備えることができる点により、ミッションケースの生産性の向上を図ることができた。
また、ミッションケースの横側部から走行用の無段変速装置の入力軸が横側に大きく突出する状態にならないので、ミッションケースにおける走行用の無段変速装置の付近のコンパクト化を図ることができた。
【００１４】
［ＩＩ］
（構成）
本発明の第２特徴は、本発明の第１特徴の作業車の走行伝動構造において次のように構成することにある。
出力用伝動軸に装備された左右の各出力ギヤの伝動下手側で、その各出力ギヤと咬合する左右一対の各走行入力ギヤを、走行用の無段変速装置を配置した凹部が形成されるミッションケースの一方側に配置される走行系伝動軸と、ミッションケースの他方側に配置される走行系伝動軸とに振り分けて支持させるとともに、
前記伝動ギヤの下方に位置しかつ前記ミッションケースの他方側の走行系伝動軸を支持する支持部を、前記ミッションケースの一方側の走行系伝動軸を支持する支持部よりもミッションケースの内方側へ突出させて、
前記一方側の走行系伝動軸に支持される走行入力ギヤをミッションケースの前記一方側の壁部内面近くに位置させ、他方側の走行系伝動軸に支持される走行入力ギヤをミッションケースの前記他方側の壁部内面から離れた位置に配設してある。
【００１５】
【００１６】
【００１７】
【発明を実施するための最良の形態】
【００１８】
［１］
図１及び図２に示すように、右及び左のクローラ走行装置１（右及び左の走行装置に相当）で支持された機体の前部に支持フレーム２が横軸芯Ｐ１周りに昇降自在に支持され、支持フレーム２を昇降駆動する昇降シリンダ３が備えられており、支持フレーム２に刈取部４が支持されている。機体の前部の右側に運転部５が備えられ、運転部５の運転座席６の下側にエンジン７が備えられている。機体の後部の左側に脱穀装置８が備えられ、機体の後部の右側にグレンタンク９が備えられて、作業車の一例である自脱型のコンバインが構成されている。
【００１９】
次に、ミッションケース１０について説明する。
図１及び図２に示すように、機体の前部の左右中央付近にミッションケース１０が備えられており、運転部５がミッションケース１０の右の横外側に備えられている。ミッションケース１０の左の横外側の後方に横軸芯Ｐ１が位置して、横軸芯Ｐ１の位置から前側に支持フレーム２が延出されており、支持フレーム２がミッションケース１０の左の横外側に位置している。
【００２０】
図３及び図７に示すように、ミッションケース１０はアルミダイキャスト製で、右側部分１０Ｒ及び左側部分１０Ｌの２分割構造に構成されて、ミッションケース１０の右側部分１０Ｒの上部の外部に段差状の凹部１０ａが形成されており、正面視（図７参照）においてミッションケース１０（右及び左側部分１０Ｒ，１０Ｌ）の合わせ部１０ｂの近傍（少し紙面左側）にまで、凹部１０ａが入り込んでいる。
ミッションケース１０の上部には、凹部１０ａに隣接するように凹部隣接部１０ｅが形成されている。
【００２１】
図３及び図７に示すように、静油圧式無段変速装置１１（走行用の無段変速装置に相当）が、ミッションケース１０（右側部分１０Ｒ）の凹部１０ａに入り込むように配置されて、静油圧式無段変速装置１１のポートブロック１１ａが、ミッションケース１０（右側部分１０Ｒ）の凹部１０ａに連結されている。静油圧式無段変速装置１１のポートブロック１１ａに円筒状の支持部材１２が連結されて、支持部材１２が左側に延出されており、支持部材１２のアーム１２ａがミッションケース１０（左側部分１０Ｌ）に連結されている。
【００２２】
図３及び図７に示すように、ミッションケース１０（右及び左側部分１０Ｒ，１０Ｌ）の下部の外部に、右の支持部１０ｃ及び左の支持部１０ｃが備えられている。右の伝動ケース１４及び左の伝動ケース１４が備えられており、右及び左の伝動ケース１４が、ミッションケース１０（右及び左側部分１０Ｒ，１０Ｌ）の右及び左の支持部１０ｃに連結されて前側に延出されている（図４及び図５参照）。右及び左の伝動ケース１４に右及び左の車軸ケース１５が連結されて右及び左側に延出されており、右及び左のクローラ走行装置１を駆動するスプロケット１ａが、右及び左の車軸ケース１５の右及び左側の端部に備えられている。
【００２３】
図３，６，７に示すように、ミッションケース１０（右側部分１０Ｒ）の下部の外部において、ミッションケース１０（右及び左側部分１０Ｒ，１０Ｌ）の右及び左の支持部１０ｃとは異なる部分に、連結部１０ｄが備えられており、ミッションケース１０（右側部分１０Ｒ）の連結部１０ｄと右及び左の伝動ケース１４とに亘って、連係部材１３が連結されている。
【００２４】
［２］
次に、ミッションケース１０（右及び左側部分１０Ｒ，１０Ｌ）における伝動系（直進系）の構造について説明する。
図２，３，８に示すように、支持部材１２に入力軸１６が支持され、入力軸１６の端部に入力プーリー１７が連結されており、支持部材１２の内部において静油圧式無段変速装置１１の入力軸１１ｂと入力軸１６とが、連結部材１８を介して連結されている。エンジン７の動力が伝動ベルト１９を介して入力プーリー１７に伝達され、エンジン７の動力が伝動ベルト２０及び静油圧式無段変速装置２１を介して刈取部４に伝達される。
【００２５】
図７及び図８に示すように、ミッションケース１０（右及び左側部分１０Ｒ，１０Ｌ）の上部において、ミッションケース１０（右側部分１０Ｒ）の凹部１０ａに隣接（対向）するように、ミッションケース１０（左側部分１０Ｌ）に入力軸２２が支持され、入力軸２２に伝動ギヤ２３，２４がスプライン構造により固定されている。静油圧式無段変速装置１１の出力軸１１ｃがミッションケース１０（右及び左側部分１０Ｒ，１０Ｌ）の凹部隣接部１０ｅの内部に挿入され、スプライン構造により伝動ギヤ２４（入力軸２２）に連結されている。前記伝動ギヤ２４は、図７，８に示すようにボス部分の一部がミッションケース１０の右側部分１０Ｒに設けた軸受け部に対して回動自在に支持されており、その伝動ギヤ２４の内部のスプライン孔に対して前記静油圧式無段変速装置１１の出力軸１１ｃと前記入力軸２２とが左右両側から挿入されることにより、入力軸２２が前記出力軸１１ｃと同芯上に位置して、かつ前記伝動ギヤ２４を介して前記ミッションケース１０の右側部分１０Ｒに軸支されている。また、この入力軸２２の他端部は前記ミッションケース１０の左側部分１０Ｌに軸支されているので、入力軸２２の左右両側が前記凹部隣接部１０ｅの左右両側の側壁に支持された状態となっている。
【００２６】
図７及び図８に示すように、ミッションケース１０（右及び左側部分１０Ｒ，１０Ｌ）の上部に支持された伝動軸２７に、高速ギヤ２５及び低速ギヤ２６が相対回転自在に外嵌され、伝動ギヤ２３及び高速ギヤ２５、伝動ギヤ２４及び低速ギヤ２６が咬合しており、シフト部材２８がスプライン構造により伝動軸２７に一体回転及びスライド自在に外嵌されている。これによって、伝動ギヤ２３及び高速ギヤ２５、伝動ギヤ２４及び低速ギヤ２６、シフト部材２８により副変速装置が構成されており、シフト部材２８を高速及び低速ギヤ２５，２６に咬合させることにより、入力軸２２の動力が高低２段（高速及び低速位置）に変速されて、伝動軸２７に伝達される。通常は、シフト部材２８が高速ギヤ２５に咬合する位置にスライド操作されて、高速位置が設定されている。
【００２７】
図７及び図９に示すように、ミッションケース１０（右及び左側部分１０Ｒ，１０Ｌ）の下部に亘って出力用伝動軸２９が支持され、出力用伝動軸２９の左側部（ミッションケース１０の左側部分１０Ｌの壁部の内面近傍）に伝動ギヤ３１（伝動ギヤに相当する）が固定されている。伝動軸２７の左側部（ミッションケース１０の左側部分１０Ｌの壁部の内面近傍）に伝動ギヤ３０（伝動ギヤに相当する）が固定されて、伝動ギヤ３０，３１が咬合している。つまり、前記出力用伝動軸２９に軸支されたギヤである伝動ギヤ３１と、その伝動ギヤ３１の外周側に咬合して前記入力軸２２から伝達される駆動力を伝える中継用のギヤである前記伝動ギヤ３０とからなるギヤ対を、前記ミッションケース１０の左側部における壁部の内面近傍に位置するように装備させてあり、かつ、このギヤ対の前記中継用のギヤである前記伝動ギヤ３０の左右方向での位置が、前記入力軸２２の他方側が支持された凹部隣接部１０ｅの側壁の左右方向での位置と略一致するように設けてある。これにより、ミッションケース１０（右及び左側部分１０Ｒ，１０Ｌ）の合わせ部１０ｂに対して、左側（ミッションケース１０の左側部分１０Ｌ）に、入力軸２２及び伝動軸２７の大部分、伝動ギヤ３０，３１が配置されている。
【００２８】
図７及び図９に示すように、出力用伝動軸２９の右側部（ミッションケース１０の右側部分１０Ｒ）において、右及び左の出力ギヤ３２Ｒ，３２Ｌが出力用伝動軸２９に相対回転自在に外嵌され、右及び左の出力ギヤ３２Ｒ，３２Ｌの右及び左側に、右及び左の咬合部３３Ｒ，３３Ｌがスプライン構造により出力用伝動軸２９に一体回転及びスライド自在に外嵌されている（右の咬合部３３Ｒがミッションケース１０の右側部分１０Ｒの壁部の内面近傍に配置されている）。右の出力ギヤ３２Ｒ及び右の咬合部３３Ｒの間で右のサイドクラッチ３４が構成され、左の出力ギヤ３２Ｌ及び左の咬合部３３Ｌの間で左のサイドクラッチ３４が構成されている。
【００２９】
図７に示すように、ミッションケース１０（右及び左側部分１０Ｒ，１０Ｌ）の右及び左の支持部１０ｃと、右及び左の伝動ケース１４とに亘って伝動軸３５（走行系伝動軸に相当する）が支持され、ミッションケース１０（右及び左側部分１０Ｒ，１０Ｌ）の内部において伝動軸３５に固定された伝動ギヤ３６（走行入力ギヤに相当する）が、右及び左の出力ギヤ３２Ｒ，３２Ｌに咬合しており、右及び左の伝動ケース１４の内部において、伝動軸３５に伝動ギヤ３７が固定されている。右及び左の伝動ケース１４、右及び左の車軸ケース１５に亘って、右及び左の車軸３８が支持されており、右及び左の伝動ケース１４の内部において、右及び左の車軸３８に固定された伝動ギヤ３９が伝動ギヤ３７に咬合している。右及び左の車軸ケース１５の内部において、右及び左の車軸３８が右及び左側に延出されており、右及び左のクローラ走行装置１のスプロケット１ａ（図２及び図４参照）が、右及び左の車軸３８の右及び左側の端部に連結されている。
図７に示すように、前記ミッションケース１０の右側部分１０Ｒ、及び左側部分１０Ｌの夫々に形成されている各支持部１０ｃ，１０ｃは、ミッションケース１０の右側部分１０Ｒに形成されている支持部１０ｃよりも、ミッションケース１０の左側部分１０Ｌに形成されている支持部１０ｃがミッションケース１０の内方側へ突出するように形成してあって、前記ミッションケース１０の左側部分１０Ｌに形成されている支持部１０ｃが前記伝動ギヤ３０，３１の下方に位置している。これによって、右及び左の伝動軸３５に支持されている伝動ギヤ３６のうち、右側部分１０Ｒに形成された支持部１０ｃに支持される伝動軸３５側の伝動ギヤ３６がミッションケース１０の右側部分１０Ｒの壁部内面近くに位置し、左側部分１０Ｌに形成された支持部１０ｃに支持される伝動軸３５側の伝動ギヤ３６がミッションケース１０の左側部分１０Ｌの壁部内面から内方側へ離れて位置している。
【００３０】
以上の構造により、図７に示すように、入力軸２２の動力が、伝動軸２７、伝動ギヤ３０，３１、出力用伝動軸２９、右及び左のサイドクラッチ３４（右及び左の咬合部３３Ｒ，３３Ｌ）、右及び左の出力ギヤ３２Ｒ，３２Ｌ、伝動ギヤ３６、伝動軸３５、伝動ギヤ３７，３９、右及び左の車軸３８を介して、右及び左のクローラ走行装置１に伝達されて、機体は直進する。
【００３１】
［３］
次に、右及び左のサイドクラッチ３４について説明する。
図９に示すように、出力用伝動軸２９の右及び左側部の外面にスプライン部２９ａが形成されて、右及び左の咬合部３３Ｒ，３３Ｌが出力用伝動軸２９のスプライン部２９ａに一体回転及びスライド自在に外嵌され、受け部材４０が出力用伝動軸２９のスプライン部２９ａに一体回転自在に外嵌されている。
【００３２】
図９及び図１０に示すように、右及び左の咬合部３３Ｒ，３３Ｌにおける受け部材４０側の部分に複数の凹部が配置されて、右及び左の咬合部３３Ｒ，３３Ｌの凹部の各々に、バネ４１が内側及び外側に二重に配置されており、受け部材４０及びバネ４１により右及び左の咬合部３３Ｒ，３３Ｌが、右及び左の出力ギヤ３２Ｒ，３２Ｌの咬合側に付勢されている。右及び左の咬合部３３Ｒ，３３Ｌが右及び左の出力ギヤ３２Ｒ，３２Ｌに咬合することにより、右及び左のサイドクラッチ３４の伝動状態となるのであり、出力用伝動軸２９の動力が、右及び左のサイドクラッチ３４を介して、右及び左のクローラ走行装置１に伝達される。
【００３３】
図９に示すように、右及び左の出力ギヤ３２Ｒ，３２Ｌと出力用伝動軸２９との間にピストン４２がスライド自在に配置され、ピストン４２が右及び左の咬合部３３Ｒ，３３Ｌに接当しており、ピストン４２と右及び左の咬合部３３Ｒ，３３Ｌとが一体で回転するように、右及び左の咬合部３３Ｒ，３３Ｌとピストン４２とに亘ってスプリングピン４３が挿入されている。
【００３４】
図９に示すように、右及び左の出力ギヤ３２Ｒ，３２Ｌとピストン４２との間に作動油を供給すると、右及び左の咬合部３３Ｒ，３３Ｌとピストン４２とが、バネ４１に抗して右及び左の出力ギヤ３２Ｒ，３２Ｌの離間側にスライド操作されて、右及び左のサイドクラッチ３４の遮断状態となる。右及び左の出力ギヤ３２Ｒ，３２Ｌとピストン４２との間の作動油を排出すると、右及び左の咬合部３３Ｒ，３３Ｌとピストン４２とが、バネ４１により右及び左の出力ギヤ３２Ｒ，３２Ｌの咬合側にスライド操作されて、右及び左のサイドクラッチ３４の伝動状態となる。
【００３５】
この場合、図９に示すように、右及び左の咬合部３３Ｒ，３３Ｌとピストン４２とを別体に構成することにり、出力用伝動軸２９に対して右及び左の咬合部３３Ｒ，３３Ｌが傾斜しても、ピストン４２が右及び左の咬合部３３Ｒ，３３Ｌの傾斜の影響を受けずにスライド操作されるようにしている。
図９に示すように、スプリングピン４３により右及び左の咬合部３３Ｒ，３３Ｌとピストン４２、出力用伝動軸２９が一体で回転し、互いに相対回転しないように構成しており、右及び左の出力ギヤ３２Ｒ，３２Ｌの内周部とピストン４２の外周部との間で回転数差が生じるようにしている。ピストン４２の外周部において右及び左の出力ギヤ３２Ｒ，３２Ｌの内面に接する部分に、複数の円周状の溝部４２ａが形成されて、ピストン４２の溝部４２ａに作動油の一部が保持されるようにしており、ピストン４２の外周部と右及び左の出力ギヤ３２Ｒ，３２Ｌの内周部との間の焼き付きを防止している。
【００３６】
図９に示すように、出力用伝動軸２９において右及び左側部のスプライン部２９ａの間の中央部分が、段差の無い同径に構成されており、後述する［４］の旋回クラッチケース４７、右及び左の出力ギヤ３２Ｒ，３２Ｌ、ピストン４２、右及び左の咬合部３３Ｒ，３３Ｌ、受け部材４０が、出力用伝動軸２９の右及び左側部のどちらからでも取り付けて組み立てることができる。
【００３７】
［４］
次に、ミッションケース１０（右及び左側部分１０Ｒ，１０Ｌ）における伝動系（旋回系）の構造について説明する。
図７及び図９に示すように、ミッションケース１０（右及び左側部分１０Ｒ，１０Ｌ）に亘り伝動軸４４が支持され、伝動軸４４の右側部（ミッションケース１０の右側部分１０Ｒの壁部の内面近傍）に相対回転自在に外嵌された伝動ギヤ４５が、右の咬合部３３Ｒの外周部のギヤ部に咬合しており、伝動軸４４と伝動ギヤ４５との間に緩旋回クラッチ４６が備えられている。緩旋回クラッチ４６は摩擦多板式に構成されており、作動油が供給されることで伝動状態に操作され、作動油が排出されることで遮断状態に操作される。
【００３８】
図７及び図９に示すように、出力用伝動軸２９に旋回クラッチケース４７が相対回転自在に外嵌されて、伝動軸４４に固定された伝動ギヤ４８と旋回クラッチケース４７の外周部の伝動ギヤ４７ａとが咬合している。旋回クラッチケース４７は左右対称に構成されており、旋回クラッチケース４７と右及び左の出力ギヤ３２Ｒ，３２Ｌとの間に、右及び左の旋回クラッチ４９が構成されている。右及び左の旋回クラッチ４９は摩擦多板式に構成されており、作動油が供給されることで伝動状態に操作される。この場合、右及び左の旋回クラッチ４９において、摩擦板が互いに密になるように配置されており、作動油が排出されても右及び左の旋回クラッチ４９が半伝動状態となるように構成されている。
【００３９】
図９及び図１１に示すように、旋回クラッチケース４７において、右及び左の旋回クラッ  チ４９の摩擦板を受け止めるリング状の受け部材５４を取り付ける場合、受け部材５４に凸部５４ａが備えられて、右及び左の旋回クラッチ４９の摩擦板の凸部が入り込む旋回クラッチケース４７の開口部４７ｂの一つに、受け部材５４の凸部５４ａが入り込んでおり、受け部材５４が回り止めされている。
【００４０】
これにより、図７及び図９に示すように、緩旋回クラッチ４６が伝動状態に操作されると、出力用伝動軸２９の動力が右の咬合部３２Ｒ、伝動ギヤ４５、緩旋回クラッチ４６、伝動軸４４及び伝動ギヤ４８を介して、出力用伝動軸２９と同方向の回転で出力用伝動軸２９よりも低速の動力として、旋回クラッチケース４７に伝達される。右又は左のサイドクラッチ３４を遮断状態に操作し、右又は左の旋回クラッチ４９を伝動状態に操作すると、出力用伝動軸２９と同方向の回転で出力用伝動軸２９よりも低速の動力が右又は左の出力ギヤ３２Ｒ，３２Ｌに伝達される。
【００４１】
図７及び図９に示すように、伝動軸４４の左側部（ミッションケース１０の左側部分１０Ｌの壁部の外面近傍）に、ブレーキ５０が備えられている。ブレーキ５０は摩擦多板式に構成されて、作動油が供給されることで制動状態に操作され、作動油が排出されることで解除状態に操作される。
これにより、図７及び図９に示すように、ブレーキ５０が制動状態に操作されると、伝動軸４４及び伝動ギヤ４８を介して、旋回クラッチケース４７が制動状態となる。右又は左のサイドクラッチ３４が遮断状態に操作され、右又は左の旋回クラッチ４９が伝動状態に操作されると、右又は左の出力ギヤ３２Ｒ，３２Ｌが制動状態となる。
【００４２】
図７及び図９に示すように、伝動軸２７の左側部（ミッションケース１０の左側部分１０Ｌの壁部の内面近傍）に伝動ギヤ５１が固定され、伝動軸４４の左側部（ミッションケース１０の左側部分１０Ｌの壁部の内面近傍）に、伝動ギヤ５２が相対回転自在に外嵌されて、伝動ギヤ５１，５２が咬合しており、伝動軸４４と伝動ギヤ５２との間に、逆転クラッチ５３が備えられている。逆転クラッチ５３は摩擦多板式に構成されており、作動油が供給されることで伝動状態に操作され、作動油が排出されることで遮断状態に操作される。
【００４３】
これにより図７及び図９に示すように、逆転クラッチ５３が伝動状態に操作されると、伝動軸２７の動力が伝動ギヤ５１，５２、逆転クラッチ５３、伝動軸４４及び伝動ギヤ４８を介して、出力用伝動軸２９と逆方向の回転の動力として、旋回クラッチケース４７に伝達される。右又は左のサイドクラッチ３４が遮断状態に操作され、右又は左の旋回クラッチ４９が伝動状態に操作されると、出力用伝動軸２９と逆方向の回転の動力が右又は左の出力ギヤ３２Ｒ，３２Ｌに伝達される。
【００４４】
図７及び図９に示すように、逆転クラッチ５３は右又は左のクローラ走行装置１の一方と逆方向の動力を右又は左のクローラ走行装置１の他方に伝達するものであり、比較的大きなトルク（逆方向の動力）を伝達する。緩旋回クラッチ４６は右又は左のクローラ走行装置１の一方と同方向で低速の動力を右又は左のクローラ走行装置１の他方に伝達するものであり、比較的小さなトルク（同方向の低速の動力）を伝達する。
これにより、逆転クラッチ５３は比較的大径及び多数の摩擦板が必要になって、逆転クラッチが比較的大型のものになり、特に外径が大きなものとなる。緩旋回クラッチ４６は比較的小径及び少数の摩擦板でよく、緩旋回クラッチ４６が比較的小型のものになり、特に外径が小さなものとなる。
【００４５】
［５］
次に、静油圧式無段変速装置１１の操作について説明する。
図１３に示すように、静油圧式無段変速装置１１のポンプ１１Ｐが、中立位置Ｎ、中立位置Ｎから前進Ｆの高速側及び後進Ｒの高速側に無段変速自在に構成されており、静油圧式無段変速装置１１のモータ１１Ｍが高低２段に変速自在に構成されている。静油圧式無段変速装置１１のポンプ１１Ｐの斜板を操作する油圧シリンダ５９、油圧シリンダ５９に作動油を給排操作する制御弁６０が備えられて、運転部５に備えられた変速レバー６１と制御弁６０とが機械的に連係されている。これにより、変速レバー６１を操作することによって、制御弁６０が操作され油圧シリンダ５９が作動して、変速レバー６１の操作位置に対応する位置に静油圧式無段変速装置１１のポンプ１１Ｐの斜板が操作される。
【００４６】
図１３に示すように、静油圧式無段変速装置１１のモータ１１Ｍの斜板を操作する油圧シリンダ６２、油圧シリンダ６２に作動油を給排操作する電磁操作式の制御弁６３が備えられており、変速レバー６１の握り部に変速スイッチ６１ａが備えられて、変速レバー６１の変速スイッチ６１ａの操作信号が制御装置６４に入力されている。これにより、変速レバー６１の変速スイッチ６１ａを操作することによって、制御装置６４により制御弁６３が操作され油圧シリンダ６２が作動して、静油圧式無段変速装置１１のモータ１１Ｍの斜板が高速及び低速位置に操作される。
【００４７】
図１３に示すように、変速レバー６１の操作位置を検出する操作位置センサー６５が備えられ、機体の走行速度を検出する走行速度センサー７９が備えられて、操作位置センサー６５及び走行速度センサー７９の検出値が制御装置６４に入力されている。静油圧式無段変速装置１１のモータ１１Ｍの斜板が高速位置であるか低速位置であるかの検出は、変速レバー６１の変速スイッチ６１ａの操作信号により、制御装置６４で認識される。これにより、静油圧式無段変速装置１１のポンプ１１Ｐ及びモータ１１Ｍの操作位置、機体の走行速度により、図７及び図８に示す副変速装置（シフト部材２８）が高速位置であるか低速位置であるかを認識することができる。
【００４８】
図１３に示す静油圧式無段変速装置１１と副変速装置（シフト部材２８）とにおいて、機械効率の良い伝動状態及び機械効率の悪い伝動状態がある。
静油圧式無段変速装置１１（ポンプ１１Ｐ及びモータ１１Ｍ）が高速領域で副変速装置（シフト部材２８）が高速位置、静油圧式無段変速装置１１（ポンプ１１Ｐ及びモータ１１Ｍ）が低速領域で副変速装置（シフト部材２８）が高速位置、静油圧式無段変速装置１１（ポンプ１１Ｐ及びモータ１１Ｍ）が低速領域で副変速装置（シフト部材２８）が低速位置の状態において、機械効率の良い伝動状態となる。静油圧式無段変速装置１１（ポンプ１１Ｐ及びモータ１１Ｍ）が高速領域で副変速装置（シフト部材２８）が低速位置の状態において、機械効率の悪い伝動状態となる。
【００４９】
この場合、操作位置センサー６５及び走行速度センサー７９の検出値、変速レバー６１の変速スイッチ６１ａの操作信号により、制御装置６４において、静油圧式無段変速装置１１（ポンプ１１Ｐ及びモータ１１Ｍ）が高速領域で副変速装置（シフト部材２８）が低速位置の状態であると認識されると、機械効率の悪い伝動状態であることが運転部５の操作パネル（図示せず）に表示されて、運転者に注意が喚起される。
【００５０】
後述する［８］［９］［１０］［１１］に記載の、旋回モードスイッチ７８、緩旋回状態、信地旋回状態及び超信地旋回状態において、旋回モードスイッチ７８により緩旋回状態、信地旋回状態及び超信地旋回状態を選択することができるのは、変速レバー６１の変速スイッチ６１ａにより、静油圧式無段変速装置１１のモータ１１Ｍの斜板が低速位置に操作されている状態である。変速レバー６１の変速スイッチ６１ａにより、静油圧式無段変速装置１１のモータ１１Ｍの斜板が高速位置に操作されている状態であると、旋回モードスイッチ７８の操作位置に関係なく、緩旋回状態が選択される。
【００５１】
［６］
次に、右及び左のサイドクラッチ３４（右及び左の咬合部３３Ｒ，３３Ｌ）、右及び左の旋回クラッチ４９、緩旋回クラッチ４６、ブレーキ５０、逆転クラッチ５３に作動油を給排操作する油圧ユニット５７について説明する。
図３及び図８に示すように、静油圧式無段変速装置１１の入力軸１１ｂにおいて入力軸１６とは反対側の部分（静油圧式無段変速装置１１の右の横側部）に、チャージポンプ５５及び油圧ポンプ５６が接続されて、静油圧式無段変速装置１１の入力軸１１ｂにより、チャージポンプ５５及び油圧ポンプ５６が駆動されるように構成されており、チャージポンプ５５の作動油が静油圧式無段変速装置１１に供給されている。
【００５２】
図３及び図７に示すように、油圧ユニット５７がミッションケース１０（左側部分１０Ｌ）の左の支持フレーム２側の横側部の外面に連結されており、油圧ポンプ５６からの外部配管５８（図１２参照）が、油圧ユニット５７に接続されている。図２及び図３、図４の実線に示すように、刈取部４（支持フレーム２）が下降駆動された状態において、支持フレーム２が油圧ユニット５７の左の横外側に位置している。図４の二点鎖線に示すように、刈取部４（支持フレーム２）が上限まで上昇駆動された状態において、支持フレーム２が油圧ユニット５７の左の横外側の上方に位置している。
【００５３】
図１，２，３，４に示すように、刈取部４（支持フレーム２）が上限まで上昇駆動されると、刈取部４が機体の前部から前方上方に離れるので、機体の前部の左側において刈取部４と機体の前部との間が開くことになり、機体の前部の左側から刈取部４と機体の前部との間に、作業者が入り込むことができる。
この場合に、図１，２，３，４に示すように、油圧ユニット５７がミッションケース１０（左側部分１０Ｌ）の左の支持フレーム２側の横側部の外面に連結されているので、機体の前部の左側から刈取部４と機体の前部との間に作業者が入り込んだ際、作業者にとってミッションケース１０のこちら側（作業者側）に油圧ユニット５７が位置することになり、油圧ユニット５７のメンテナンス作業が行い易くなる。
【００５４】
［７］
次に、油圧ユニット５７の構造（右及び左のサイドクラッチ３４（右及び左の咬合部３３Ｒ，３３Ｌ）、右及び左の旋回クラッチ４９、緩旋回クラッチ４６、ブレーキ５０、逆転クラッチ５３の油圧回路構造）について説明する。
図５，７，９に示すように、出力用伝動軸２９，４４がミッションケース１０（右及び左側部分１０Ｒ，１０Ｌ）に左右方向に支持されて、出力用伝動軸２９，４４の左端部がミッションケース１０の左側部分１０Ｌの壁部を貫通しており、油圧ユニット５７の内部に挿入されている。出力用伝動軸２９の左端部と右及び左のサイドクラッチ３４（右及び左の咬合部３３Ｒ，３３Ｌ）、右及び左の旋回クラッチ４９とに亘って、出力用伝動軸２９の内部に油路２９ｂが備えられている。伝動軸４４の左端部と緩旋回クラッチ４６及び逆転クラッチ５３とに亘って、伝動軸４４の内部に油路４４ａが備えられている。油圧ユニット５７の内部において伝動軸４４の端部にブレーキ５０が備えられている。
【００５５】
図１２に示すように、油圧ユニット５７の内部に、右旋回制御弁６７、左旋回制御弁６８、リリーフ弁６９、アンロード弁７０、比例制御弁７１、旋回切換制御弁７２、パイロット操作弁７３，７４が備えられている。油圧ポンプ５６からの外部配管５８が油圧ユニット５７に接続され、油圧ユニット５７とミッションケース１０（左側部分１０Ｌ）の外面との連結面（合わせ面）に多数の油路（図示せず）が形成されており、外部配管５８に接続された油路６６に右及び左旋回制御弁６７，６８、リリーフ弁６９、アンロード弁７０が、連結面（合わせ面）の油路を介して並列的に接続されている。油圧ユニット５７とミッションケース１０（左側部分１０Ｌ）の外面との連結面（合わせ面）にドレン油路が形成されており、リリーフ弁６９及びアンロード弁７０の作動油が前述のドレン油路を介してミッションケース１０（右及び左側部分１０Ｒ，１０Ｌ）に戻される。
【００５６】
図１２に示すように、右旋回制御弁６７が連結面（合わせ面）の油路及び出力用伝動軸２９の油路２９ｂを介して、右のサイドクラッチ３４（右の咬合部３３Ｒ）及び右の旋回クラッチ４９に接続されている。左旋回制御弁６８が連結面（合わせ面）の油路及び出力用伝動軸２９の油路２９ｂを介して、左のサイドクラッチ３４（左の咬合部３３Ｌ）及び左の旋回クラッチ４９に接続されている。
【００５７】
図１２に示すように、右及び左旋回制御弁６７，６８は供給位置６７ａ，６８ａ及び排出位置６７ｂ，６８ｂに操作自在な電磁操作式に構成されて、排出位置６７ｂ，６８ｂに付勢されている。アンロード弁７０は遮断位置７０ａ及び排出位置７０ｂに操作自在な電磁操作式に構成されて、遮断位置７０ａに付勢されている。右及び左旋回制御弁６７，６８と出力用伝動軸２９の油路２９ｂとの間から分岐した油路７５に、比例制御弁７１及び旋回切換制御弁７２が直列的に接続されており、旋回切換制御弁７２が連結面（合わせ面）の油路及び伝動軸４４の油路４４ａを介して、緩旋回クラッチ４６及び逆転クラッチ５３に接続され、旋回切換制御弁７２が油圧ユニット５７の油路７６を介してブレーキ５０に接続されている。
【００５８】
図９に示すように、伝動軸４４の油路４４ａから分岐した油路４４ｂが、出力用伝動軸２９と緩旋回クラッチ４６との間、及び、出力用伝動軸２９と逆転クラッチ５３との間に接続されて、伝動軸４４の油路４４ａの作動油の一部が、出力用伝動軸２９と緩旋回クラッチ４６との間、及び、出力用伝動軸２９と逆転クラッチ５３との間に供給されるように構成しており、緩旋回及び逆転クラッチ４６，５３が冷却される。
【００５９】
図９に示すように、緩旋回及び逆転クラッチ４６，５３のピストン４６ａ，５３ａに、出力用伝動軸２９と同芯円状のリング状の凹部４６ｂ，５３ｂが形成されており、緩旋回及び逆転クラッチ４６，５３に作動油が供給されて、緩旋回及び逆転クラッチ４６，５３のピストン４６ａ，５３ａが移動して（例えば緩旋回クラッチ４６のピストン４６ａが図９の紙面左方に移動して）、緩旋回及び逆転クラッチ４６，５３が伝動状態に操作されると、伝動ギヤ４５，５２の摩擦板支持部が、緩旋回及び逆転クラッチ４６，５３のピストン４６ａ，５３ａの凹部４６ｂ，５３ｂに入り込む。これにより、出力用伝動軸２９と緩旋回クラッチ４６との間、及び、出力用伝動軸２９と逆転クラッチ５３との間が、緩旋回及び逆転クラッチ４６，５３のピストン４６ａ，５３ａにより閉じられて、出力用伝動軸２９と緩旋回クラッチ４６との間、及び、出力用伝動軸２９と逆転クラッチ５３との間から冷却用の作動油が出て行き難くなる。
【００６０】
図１２に示すように、比例制御弁７１は電磁操作式に構成されて、作動油の流量制御が可能である。旋回切換制御弁７２は、緩旋回位置７２ａ、信地旋回位置７２ｂ及び超信地旋回位置７２ｃに操作自在なパイロット操作式に構成されて、緩旋回位置７２ａに付勢されている。油路７５から分岐したパイロット作動油を旋回切換制御弁７２に供給して信地旋回位置７２ｂに操作するように、パイロット操作弁７３が構成され、油路７５から分岐したパイロット作動油を旋回切換制御弁７２に供給して超信地旋回位置７２ｃに操作するように、パイロット操作弁７４が構成されている。
右及び左旋回制御弁６７，６８、アンロード弁７０、比例制御弁７１、パイロット操作弁７３，７４は、後述する［８］［９］［１０］［１１］に記載のように、制御装置６４によって操作される。
【００６１】
［８］
次に、操向レバー７７による直進状態について説明する。
図１３に示すように、右及び左に操作自在な操向レバー７７が運転部５に備えられて、操向レバー７７の操作位置が制御装置６４に入力されており、操向レバー７７は直進位置Ｎ、右及び左第１旋回位置Ｒ１，Ｌ１、右及び左第２旋回位置Ｒ２，Ｌ２に操作自在に構成されている。旋回モードスイッチ７８が運転部５に備えられて、旋回モードスイッチ７８の操作位置が制御装置６４に入力されており、旋回モードスイッチ７８は緩旋回位置、信地旋回位置及び超信地旋回位置を備えている。
【００６２】
図１２及び図１３に示すように、旋回モードスイッチ７８の操作位置に関係なく、操向レバー７７が直進位置Ｎに操作されると、右及び左旋回制御弁６７，６８が排出位置６７ｂ，６８ｂに操作され、アンロード弁７０が排出位置７０ｂに操作されて、右及び左のサイドクラッチ３４（右及び左の咬合部３３Ｒ，３３Ｌ）、右及び左の旋回クラッチ４９から作動油が排出され、右及び左のサイドクラッチ３４（右及び左の咬合部３３Ｒ，３３Ｌ）が伝動状態に操作されて、右及び左の旋回クラッチ４９が半伝動状態に操作される。比例制御弁７１により緩旋回及び逆転クラッチ４６，５３が遮断状態に操作され、ブレーキ５０が解除状態に操作される。
【００６３】
これにより図７及び前項［２］［４］に記載のように、入力軸２２の動力が、伝動軸２７、伝動ギヤ３０，３１、出力用伝動軸２９、右及び左のサイドクラッチ３４（右及び左の咬合部３３Ｒ，３３Ｌ）、右及び左の出力ギヤ３２Ｒ，３２Ｌ、伝動ギヤ３６、伝動軸３５、伝動ギヤ３７，３９、右及び左の車軸３８を介して、右及び左のクローラ走行装置１に伝達されて、機体は直進する。
【００６４】
［９］
次に、操向レバー７７による緩旋回状態について説明する。
図１２及び図１３に示すように旋回モードスイッチ７８が緩旋回位置に操作されると、パイロット操作弁７３，７４により、旋回切換制御弁７２が緩旋回位置７２ａに操作される。これにより、操向レバー７７が右第１旋回位置Ｒ１に操作されると、右旋回制御弁６７が供給位置６７ａに操作されて、アンロード弁７０が遮断位置７０ａに操作され、右のサイドクラッチ３４（右の咬合部３３Ｒ）及び右の旋回クラッチ４９に作動油が供給されて、右のサイドクラッチ３４（右の咬合部３３Ｒ）が遮断状態に操作され、右の旋回クラッチ４９が伝動状態に操作される。
【００６５】
この場合、図７及び図９に示すように左の旋回クラッチ４９が半伝動状態であるので、左のサイドクラッチ３４（左の咬合部３３Ｌ）の動力が、左の出力ギヤ３２Ｌ及び左の旋回クラッチ４９から、右の旋回クラッチ４９を介して右の出力ギヤ３２Ｒに伝達され、出力用伝動軸２９と同方向の回転で出力用伝動軸２９より少し低速の動力が右の出力ギヤ３２Ｒに伝達される。これにより、機体は緩やかに右に向きを変える。
【００６６】
図１２及び図１３に示すように操向レバー７７が右第１旋回位置Ｒ１に操作されると、前述のように右旋回制御弁６７が供給位置６７ａに操作されアンロード弁７０が遮断位置７０ａに操作されるのと同時に、比例制御弁７１及び旋回切換制御弁７２（緩旋回位置７２ａ）を介して、緩旋回クラッチ４６に作動油が供給され始めるのであり、操向レバー７７が右第１旋回位置Ｒ１から右第２旋回位置Ｒ２に操作されるほど、比例制御弁７１により緩旋回クラッチ４６の作動圧が昇圧操作される。
【００６７】
図７及び図９に示すように、操向レバー７７の操作位置に基づいて比例制御弁７１により緩旋回クラッチ４６の作動圧が昇圧操作されるのに伴って、出力用伝動軸２９の動力が右の咬合部３３Ｒ、伝動ギヤ４５、緩旋回クラッチ４６、伝動軸４４、伝動ギヤ４８、旋回クラッチケース４７及び右の旋回クラッチ４９を介して、出力用伝動軸２９と同方向の回転で出力用伝動軸２９よりも低速の動力が右の出力ギヤ３２Ｒに伝達される。
【００６８】
この場合、図７及び図９に示すように、左のサイドクラッチ３４（左の咬合部３３Ｌ）からの動力と、緩旋回クラッチ４６からの動力とが、同時に右の出力ギヤ３２Ｒに伝達される状態となるので、緩旋回クラッチ４６の作動圧が低圧の範囲では、左のサイドクラッチ３４（左の咬合部３３Ｌ）からの動力が緩旋回クラッチ４６からの動力に打ち勝って、左のサイドクラッチ３４（左の咬合部３３Ｌ）からの動力により右の出力ギヤ３２Ｒが駆動される。これにより、緩旋回クラッチ４６の作動圧が低圧の範囲では、機体は緩やかに右に向きを変える。
【００６９】
次に操向レバー７７の操作位置が右第２旋回位置Ｒ２に接近し、緩旋回クラッチ４６の作動圧が高圧になると、図７及び図９に示すように、緩旋回クラッチ４６からの動力が左のサイドクラッチ３４（左の咬合部３３Ｌ）からの動力に打ち勝って、緩旋回クラッチ４６からの動力により右の出力ギヤ３２Ｒが駆動される。この状態において、左のサイドクラッチ３４（左の咬合部３３Ｌ）からの動力により右の出力ギヤ３２Ｒが駆動されるよりも、緩旋回クラッチ４６からの動力により右の出力ギヤ３２Ｒが駆動される方が、右の出力ギヤ３２Ｒが低速で駆動されることになり、機体は右に緩旋回する。
【００７０】
図１２及び図１３に示すように操向レバー７７が左第１旋回位置Ｌ１に操作されると、左旋回制御弁６８が供給位置６８ａに操作されて、アンロード弁７０が遮断位置７０ａに操作され、左のサイドクラッチ３４（左の咬合部３３Ｌ）及び左の旋回クラッチ４９に作動油が供給されて、左のサイドクラッチ３４（左の咬合部３３Ｌ）が遮断状態に操作されて、左の旋回クラッチ４９が伝動状態に操作される。これと同時に、前述と同様な操作が行われて、機体は緩やかに左に向きを変える。操向レバー７７が左第１旋回位置Ｌ１から左第２旋回位置Ｌ２に操作されると、前述と同様な操作が行われて、機体は左に緩旋回する。
【００７１】
［１０］
次に、操向レバー７７による信地旋回状態について説明する。
図１２及び図１３に示すように、旋回モードスイッチ７８が信地旋回位置に操作されると、パイロット操作弁７３，７４により旋回切換制御弁７２が信地旋回位置７２ｂに操作される。これにより、操向レバー７７が右第１旋回位置Ｒ１に操作されると、右旋回制御弁６７が供給位置６７ａに操作されて、アンロード弁７０が遮断位置７０ａに操作され、右のサイドクラッチ３４（右の咬合部３３Ｒ）及び右の旋回クラッチ４９に作動油が供給されて、右のサイドクラッチ３４（右の咬合部３３Ｒ）が遮断状態に操作され、右の旋回クラッチ４９が伝動状態に操作される。この場合、左の旋回クラッチ４９が半伝動状態であるので、前項［９］と同様に機体は緩やかに右に向きを変える。
【００７２】
図１２及び図１３に示すように操向レバー７７が右第１旋回位置Ｒ１に操作されると、前述のように右旋回制御弁６７が供給位置６７ａに操作されアンロード弁７０が遮断位置７０ａに操作されるのと同時に、比例制御弁７１及び旋回切換制御弁７２（信地旋回位置７２ｂ）を介して、ブレーキ５０に作動油が供給され始めるのであり、操向レバー７７が右第１旋回位置Ｒ１から右第２旋回位置Ｒ２に操作されるほど、比例制御弁７１によりブレーキ５０の作動圧が昇圧操作される。
【００７３】
図７及び図９に示すように、操向レバー７７の操作位置に基づいて比例制御弁７１によりブレーキ５０の作動圧が昇圧操作されるのに伴って、伝動軸４４、伝動ギヤ４８、旋回クラッチケース４７及び右の旋回クラッチ４９を介して、右の出力ギヤ３２Ｒに制動力が掛かる。
【００７４】
この場合、図７及び図９に示すように、左のサイドクラッチ３４（左の咬合部３３Ｌ）からの動力と、ブレーキ５０の制動力とが、同時に右の出力ギヤ３２Ｒに伝達される状態となるので、ブレーキ５０の作動圧が低圧の範囲では、左のサイドクラッチ３４（左の咬合部３３Ｌ）からの動力がブレーキ５０の制動力に打ち勝って、左のサイドクラッチ３４（左の咬合部３３Ｌ）からの動力により右の出力ギヤ３２Ｒが駆動される。これにより、ブレーキ５０の作動圧が低圧の範囲では、機体は緩やかに右に向きを変える。
【００７５】
次に操向レバー７７の操作位置が右第２旋回位置Ｒ２に接近し、ブレーキ５０の作動圧が高圧になると、図７及び図９に示すように、ブレーキ５０の制動力が左のサイドクラッチ３４（左の咬合部３３Ｌ）からの動力に打ち勝って、ブレーキ５０の制動力により右の出力ギヤ３２Ｒが制動状態となり、機体は右に信地旋回する。
【００７６】
図１２及び図１３に示すように操向レバー７７が左第１旋回位置Ｌ１に操作されると、左旋回制御弁６８が供給位置６８ａに操作されて、アンロード弁７０が遮断位置７０ａに操作され、左のサイドクラッチ３４（左の咬合部３３Ｌ）及び左の旋回クラッチ４９に作動油が供給されて、左のサイドクラッチ３４（左の咬合部３３Ｌ）が遮断状態に操作されて、左の旋回クラッチ４９が伝動状態に操作される。これと同時に、前述と同様な操作が行われて、機体は緩やかに左に向きを変える。操向レバー７７が左第１旋回位置Ｌ１から左第２旋回位置Ｌ２に操作されると、前述と同様な操作が行われて、機体は左に信地旋回する。
【００７７】
図１２及び図１３に示すように、操向レバー７７の握り部に操向スイッチ７７ａが備えられている。前項［９］に記載のように、旋回モードスイッチ７８が緩旋回位置に操作され、操向レバー７７が右（左）第１旋回位置Ｒ１（Ｌ１）から右（左）第２旋回位置Ｒ１（Ｌ１）に操作された右又は左の緩旋回状態において、もう少し小さな半径で旋回する必要が生じたする。
【００７８】
この場合、図１２及び図１３に示すように、操向レバー７７を右（左）第１旋回位置Ｒ１（Ｌ１）から右（左）第２旋回位置Ｒ１（Ｌ１）に操作した状態で、操向レバー７７の操向スイッチ７７ａが押し操作されると、旋回切換制御弁７２が緩旋回位置７２ａから信地旋回位置７２ｂに操作されて、機体は右（左）に信地旋回する。この信地旋回状態は操向レバー７７の操向スイッチ７７ａが押し操作されている間だけであり、操向レバー７７の操向スイッチ７７ａから手が離れて戻し操作されると、旋回切換制御弁７２が信地旋回位置７２ｂから緩旋回位置７２ａに操作されて、機体は緩旋回状態に戻る。
【００７９】
［１１］
次に、操向レバー７７による超信地旋回状態について説明する。
図１２及び図１３に示すように、旋回モードスイッチ７８が超信地旋回位置に操作されると、パイロット操作弁７３，７４により旋回切換制御弁７２が超信地旋回位置７２ｃに操作される。これにより、操向レバー７７が右第１旋回位置Ｒ１に操作されると、右旋回制御弁６７が供給位置６７ａに操作されて、アンロード弁７０が遮断位置７０ａに操作され、右のサイドクラッチ３４（右の咬合部３３Ｒ）及び右の旋回クラッチ４９に作動油が供給されて、右のサイドクラッチ３４（右の咬合部３３Ｒ）が遮断状態に操作され、右の旋回クラッチ４９が伝動状態に操作される。この場合、左の旋回クラッチ４９が半伝動状態であるので、前項［９］と同様に機体は緩やかに右に向きを変える。
【００８０】
図１２及び図１３に示すように操向レバー７７が右第１旋回位置Ｒ１に操作されると、前述のように右旋回制御弁６７が供給位置６７ａに操作されアンロード弁７０が遮断位置７０ａに操作されるのと同時に、比例制御弁７１及び旋回切換制御弁７２（超信地旋回位置７２ｃ）を介して、逆転クラッチ５３に作動油が供給され始めるのであり、操向レバー７７が右第１旋回位置Ｒ１から右第２旋回位置Ｒ２に操作されるほど、比例制御弁７１により逆転クラッチ５３の作動圧が昇圧操作される。
【００８１】
図７及び図９に示すように、操向レバー７７の操作位置に基づいて比例制御弁７１により逆転クラッチ５３の作動圧が昇圧操作されるのに伴って、伝動軸２７の動力が伝動ギヤ５１，５２、逆転クラッチ５３、伝動軸４４、伝動ギヤ４８、旋回クラッチケース４７及び右の旋回クラッチ４９を介して、出力用伝動軸２９と逆方向の回転の動力として右の出力ギヤ３２Ｒに伝達される。
【００８２】
この場合、図７及び図９に示すように、左のサイドクラッチ３４（左の咬合部３３Ｌ）からの動力と、逆転クラッチ５３からの動力とが、同時に右の出力ギヤ３２Ｒに伝達される状態となるので、逆転クラッチ５３の作動圧が低圧の範囲では、左のサイドクラッチ３４（左の咬合部３３Ｌ）からの動力が逆転クラッチ５３からの動力に打ち勝って、左のサイドクラッチ３４（左の咬合部３３Ｌ）からの動力により右の出力ギヤ３２Ｒが駆動される。これにより、逆転クラッチ５３の作動圧が低圧の範囲では、機体は緩やかに右に向きを変える。
【００８３】
次に操向レバー７７の操作位置が右第２旋回位置Ｒ２に接近し、逆転クラッチ５３の作動圧が高圧になると、図７及び図９に示すように、逆転クラッチ５３からの動力が左のサイドクラッチ３４（左の咬合部３３Ｌ）からの動力に打ち勝って、逆転クラッチ５３からの動力により右の出力ギヤ３２Ｒが駆動される。この状態において、左の出力ギヤ３２Ｌに対して、右の出力ギヤ３２Ｒが逆方向に駆動されて、機体は右に超信地旋回する。
【００８４】
図１２及び図１３に示すように操向レバー７７が左第１旋回位置Ｌ１に操作されると、左旋回制御弁６８が供給位置６８ａに操作されて、アンロード弁７０が遮断位置７０ａに操作され、左のサイドクラッチ３４（左の咬合部３３Ｌ）及び左の旋回クラッチ４９に作動油が供給されて、左のサイドクラッチ３４（左の咬合部３３Ｌ）が遮断状態に操作されて、左の旋回クラッチ４９が伝動状態に操作される。これと同時に、前述と同様な操作が行われて、機体は緩やかに左に向きを変える。操向レバー７７が左第１旋回位置Ｌ１から左第２旋回位置Ｌ２に操作されると、前述と同様な操作が行われて、機体は左に超信地旋回する。
【００８５】
［発明の実施の第１別形態］
前述の［発明を実施するための最良の形態］の図３及び図７の構成において、ミッションケース１０の右及び左の一方側及び他方側を、以下のように左右逆に配置するように構成してもよい。
この場合、ミッションケース１０の左側部分１０Ｌの上部の外部に段差状の凹部１０ａが形成され、正面視においてミッションケース１０（右及び左側部分１０Ｒ，１０Ｌ）の合わせ部１０ｂの近傍（少し紙面右側）に凹部１０ａが入り込む。静油圧式無段変速装置１１がミッションケース１０（左側部分１０Ｌ）の凹部１０ａに入り込むように配置されて、静油圧式無段変速装置１１のポートブロック１１ａが、ミッションケース１０（左側部分１０Ｌ）の凹部１０ａに連結され、静油圧式無段変速装置１１の入力軸１１ｂ及び入力軸１２、支持部材１２が右側に延出される。
【００８６】
ミッションケース１０（右及び左側部分１０Ｒ，１０Ｌ）の上部において、ミッションケース１０（左側部分１０Ｌ）の凹部１０ａに隣接（対向）するように、ミッションケース１０（右側部分１０Ｒ）に入力軸２２が支持され、伝動軸２７，２９の右側部（ミッションケース１０の右側部分１０Ｒの壁部の内面近傍）に、伝動ギヤ３０，３１が固定される。出力用伝動軸２９の左側部（ミッションケース１０の左側部分１０Ｌ）において、右及び左の出力ギヤ３２Ｒ，３２Ｌが出力用伝動軸２９に相対回転自在に外嵌され、右及び左の咬合部３３Ｒ，３３Ｌがスプライン構造により出力用伝動軸２９に一体回転及びスライド自在に外嵌される（左の咬合部３３Ｌがミッションケース１０の左側部分１０Ｌの壁部の内面近傍に配置される）。伝動軸４４の右側部に緩旋回クラッチ４６が備えられ、伝動軸４４の左側部に逆転クラッチ５３が備えられる。
【００８７】
［発明の実施の第２別形態］
前述の［発明を実施するための最良の形態］［発明の実施の第１別形態］では、ミッションケース１０（右及び左側部分１０Ｒ，１０Ｌ）と静油圧式無段変速装置１１とが別体に構成されているが、ミッションケース１０（右及び左側部分１０Ｒ，１０Ｌ）と静油圧式無段変速装置１１とを、一つのケースで一体的に構成してもよい。
静油圧式無段変速装置１１の出力軸１１ｃと入力軸２２とを、別体に構成するのではなく１本の伝動軸（図示せず）によって構成してもよい。
走行用の無段変速装置として、静油圧式無段変速装置１１ばかりではなく、ベルト式の無段変速装置や、静油圧式無段変速装置と遊星ギヤとを組み合わせた無段変速装置を使用してもよい。
【００８８】
［発明の実施の第３別形態］
前述の［発明を実施するための最良の形態］［発明の実施の第１別形態］［発明の実施の第２別形態］の図７において、ブレーキ５０を廃止し、逆転クラッチ５３にブレーキ５０の機能を備えさせるように構成してもよい。
この場合、前項［１１］に記載のように、右（左）のサイドクラッチ３４（右（左）の咬合部３３Ｒ（３３Ｌ））からの動力と、逆転クラッチ５３からの動力とが、同時に左（右）の出力ギヤ３２Ｌ（３２Ｒ）に伝達される状態において、右（左）のサイドクラッチ３４（右（左）の咬合部３３Ｒ（３３Ｌ））からの動力と、逆転クラッチ５３からの動力とが平衡した状態となって、左（右）の出力ギヤ３２Ｌ（３２Ｒ）が停止した状態となるように、逆転クラッチ５３の作動圧を設定する。
【図面の簡単な説明】
【００８９】
【図１】コンバインの全体側面図
【図２】コンバインの前部のミッションケースの付近の平面図
【図３】コンバインの前部のミッションケースの付近の正面図
【図４】コンバインの前部のミッションケースの付近の側面図
【図５】ミッションケースの側面図
【図６】ミッションケースの下部の付近の側面図
【図７】ミッションケース、右及び左の伝動ケースの縦断正面図
【図８】静油圧式無段変速装置及びミッションケースの入力軸の付近の縦断正面図
【図９】ミッションケースの緩旋回クラッチ、ブレーキ、逆転クラッチ、右及び左のサイドクラッチの付近の縦断正面図
【図１０】右及び左のサイドクラッチにおける右及び左の咬合部の背面図
【図１１】右及び左の旋回クラッチにおける旋回クラッチケース及び受け部材の斜視図
【図１２】油圧ユニットにおける油圧回路構造を示す図
【図１３】変速レバー、操向レバー、旋回モードスイッチ、静油圧式無段変速装置及び油圧ユニットの関係を示す図
【符号の説明】
【００９０】
１            右及び左の走行装置
７            エンジン
１０          ミッションケース
１０ａ        ミッションケースの凹部
１０ｅ        ミッションケースの凹部隣接部
１１          走行用の無段変速装置
１１ｂ，１６  走行用の無段変速装置の入力軸
１１ｃ        走行用の無段変速装置の出力軸
２２          入力軸
２９          出力用伝動軸
３０，３１    伝動ギヤ
３４          右及び左のサイドクラッチ
【図１】
0004746597.tif 000002
【図２】
0004746597.tif 000003
【図３】
0004746597.tif 000004
【図４】
0004746597.tif 000005
【図５】
0004746597.tif 000006
【図６】
0004746597.tif 000007
【図７】
0004746597.tif 000008
【図８】
0004746597.tif 000009
【図９】
0004746597.tif 000010
【図１０】
0004746597.tif 000011
【図１１】
0004746597.tif 000012
【図１２】
0004746597.tif 000013
【図１３】
0004746597.tif 000014